(57)【特許請求の範囲】
【請求項１】
バーストモードデータ通信信号のサンプルを生成する光学スイッチと、前記バーストモードデータ通信信号の前記サンプルを蓄積する再循環光ループメモリとが有り、前記光学スイッチが前記再循環光ループメモリの経路に備えてあり、前記再循環光ループメモリを走査型波長測定システムに接続してあるバーストモード通信信号で動作する光ネットワークにおいて、
前記光学スイッチが前記バーストモードデータ通信信号のサンプルを前記再循環光ループメモリに蓄積させるためのサンプリング手段であり、
走査型波長測定システムが、前記バーストモードデータ通信信号の前記サンプルの波長を測定して、さらに前記測定された波長を用いて周波数修正値を計算する手段に接続してあり、
そして、前記光スイッチに送信される前記バーストモードデータ通信信号が、バーストモード送信信号を結合する結合手段で生成されるバーストモード送信機コームであることを特徴とするバーストモード波長測定システム。
【請求項２】
前記バーストモード波長測定システムは、さらに、複数の送信機を有し、前記結合手段が前記複数の送信機から受けた前記バーストモード送信信号を前記バーストモード送信機コームにする請求項１に記載のバーストモード波長測定システム。
【請求項３】
前記周波数修正値を計算する手段から得る周期ゲートパルスで前記光スイッチを制御して前記サンプルを生成する請求項１あるいは２に記載のバーストモード波長測定システム。
【請求項４】
バーストモード受信機を備え、前記バーストモード受信機の出力を、前記周波数修正値を計算する手段と接続する制御装置に入力することで、前記制御装置が前記光スイッチを制御するシグナルプレゼントゲート信号を生成する請求項１あるいは２に記載のバーストモード波長測定システム。
【発明の詳細な説明】
【０００１】
【発明の属する技術分野】
本発明は、バーストモードにおいて動作する局部型ネットワーク及び分散型ネットワークにおける光波分割多重送信機、高密度波分割多重送信機、コヒーレント送信機等の波長制御方法に関する。
【０００２】
また、本発明のバーストモード波長測定システムは、バーストモード送信機の上位通信を管理する多重波長受動形光ネットワークシステムに応用される。
【０００３】
【従来の技術】
従来の標準的な波長制御システムにおけるバーストモード送信機は、短い間隔で検知される光信号のデータのみを送信するため、バーストモード送信機の波長を測定するための十分な時間を有している。
【０００４】
【発明が解決しようとする課題】
しかしながら、上記従来例においては、バーストモード送信機の波長を測定するための十分な時間を有しているにもかかわらず、バーストモード送信機の波長を測定する機能を持ち合わせていないために、必要な波長修正が行えないという問題点があった。
【０００５】
本発明は、上記事情に鑑みなされたもので、それぞれのバーストモード送信機によって送信される光バーストモードデータの流れを蓄積し、また、バーストモード送信機の波長を測定し、走査型波長測定システムに与えることによって、必要な波長修正が決定されるバーストモード波長測定システムを提供することを目的とする。
【０００６】
【課題を解決するための手段】
本発明のバーストモード波長測定システムは、バーストモードデータ通信信号のサンプルを受信する受信手段と、再循環光ループメモリ内にサンプルを蓄積する蓄積手段とを含む再循環８光ループメモリを有するバーストモードデータ通信信号により動作することを特徴とする。
【０００７】
【発明の実施の形態】
次に、添付図面を参照して本発明の光ネットワークシステムについて詳細に説明する。
【０００８】
図１は、本発明のバーストモード波長測定システムを用いた光ネットワークシステムを示す概要図である。
【０００９】
図２は、セルフゲートを用いたバーストモード波長測定システムを示す概要図である。また、図３は、シグナルプレゼントモードを用いたバーストモード波長測定システムを示す概要図である。
【００１０】
図１を参照すると、バーストモード波長測定システム１１は、バーストモード送信機コーム２ｌ、２ｎを制御する走査ヘテロダイン、または、走査フィルタ型分光器（走査型波長測定システム１）を用いて示されている。バーストモード送信機コーム２ｌ、２ｎは、受信形光ネットワークにおけるバーストモード送信機９．ｌ−９．ｎからのバーストモード送信信号３．ｌ−３．ｎを結合することによって生じる。
【００１１】
光スイッチ（２ｘ２）５は、再循環光ループメモリ６に入力される短い光パルスを許容して入ってくるバーストモード送信機コーム２をサンプルするために用いられる。
【００１２】
カップラ７は、走査型波長測定システム１に切り換えられ、送信される光ループメモリ６に伝わるバーストモード送信機コーム２の一部分を許容する。光スイッチ５は、走査型波長測定システムが別のサンプル用にリセット準備される前に光ループメモリ６内を空にする。
【００１３】
典型的な単一モード伝送用光ファイバによる光ループメモリ６の長さは、シグナルプレゼントゲート周期幅が、光ループメモリ６の約９０％分の長さである光遅れ蓄積線８に供給されることによって配置される。例えば、光ループメモリ６の主要な部分を形成する１００ｎｓのゲート周期幅は、およそ３０Ｋｍの長さである。光アンプ９は、光ループメモリ６を周回する光損失（カップラ、ファイバ損失、スプライス、コネクタ等）を補う。光アンプ９においては、波長と電力の両方にとって重要な波長帯を横切る平らな波長になるのが理想的である。
【００１４】
制御装置１２においては、必要な波長から走査型波長測定システム１によって測定された波長を差し引いた周波数修正値が計算される。そして、その結果が専用の電気的接続（ワイヤ、より対線、ＲＳ２３２、ＲＳ４２２、または、二地点間端末用機構インタフェース等）、電気的インタフェースバス（ＲＳ４８５、ＩＥＥＥ４８８、ＳＣＳＩ、または、多装置バス型インタフェース）を用いたデータバス１５を介して適切なバーストモード送信機９．ｌ−９．ｎに送信されたり、あるいは、光オーバーレイを流れることによって送信される。バーストモード送信機９．ｌ−９．ｎは、必要な修正を解析し、レーザバイアス電流やレーザ動作熱の増加、減少といった装置のレーザの動作状況を変える。
【００１５】
本発明は、２つの異なる制御方法が用いられている。図２に示されるセルフゲートモードにおいては、走査型波長測定システム１からの出力が、光スイッチ５に周期ゲートパルス１０を供給する制御装置１２を通過する。この方法において、バーストモード波長測定システム１１は、時間差によってのみサンプルされる。従って全てのチャンネルが検知されていることを確認するために十分な割合でサンプルされなければならない。
【００１６】
図３に示されるシグナルプレゼントゲートモードにおいて、バーストモード受信機１３は、光スイッチ５の第２出力に接続される。バーストモード受信機１３は、検知される時間分割多アクセス信号を許容することによって時間分割多アクセス信号源の確認を要する。このように信号源の起源を知ることは、個別の送信機あるいはグループの送信機のサンプルに集中することが可能である。これは、より早い時間特性を許容するとともに全ての時間分割多アクセス送信機の提供を可能とする。
【図面の簡単な説明】
【図１】本発明のバーストモード波長測定システムを用いた光ネットワークシステムを示す概要図である。
【図２】本発明の一実施形態であるセルフゲートを用いたバーストモード波長測定システムを示す概要図である。
【図３】本発明の一実施形態であるシグナルプレゼントゲートを用いたバーストモード波長測定システムを示す概要図である。
【符号の説明】
１  走査型波長測定システム
２ｌ、２ｎ  バーストモード送信機コーム
３ｌ、３ｎ  送信機コーム
４  受動形光ネットワーク（結合ネットワーク）
５  光スイッチ
６  光ループメモリ
７  カップラ
８  光遅れ
９  光アンプ
９ｌ、９ｎ  送信機
１０  周期ゲートパルス
１１  バーストモード波長測定システム
１２  制御装置
１３  バーストモード受信機
１４ｌ、１４ｎ  バーストモードデータ
１５  データバス
【図１】
0004091679.tif 000002
【図２】
0004091679.tif 000003
【図３】
0004091679.tif 000004